(57)【要約】【課題】一般的な低コストの粘着剤を使用して製造可能であって、任意の部分に表示されている情報の隠蔽を可能とし、安価に製造可能な隠蔽用ラベルを提供すること。【解決手段】粘着剤層４を介してラベル本体２の裏面に仮着した剥離紙３についてその周囲を所定幅部分ないし所定面積部分だけ除去可能としてラベル本体２の粘着剤層４を露出可能とすること、露出した粘着剤層４の部分において葉書などの用紙にラベル本体２を貼り付けて、用紙に記載されている情報を隠蔽可能とするに着目したもので、情報記載領域より大きな面積を有するとともにこれを被覆可能なラベル本体２の裏面に形成した粘着剤層４を介してラベル本体２の裏面に仮着するとともに、その周囲に切込み１０を形成して、切込み１０より外側に位置する剥離領域１２、および切込み１０より内側に位置して情報記載領域を被覆可能な被覆領域１１を形成する剥離紙３を有することを特徴とする。【選択図】図３
2007304359.tif 000002
【特許請求の範囲】
【請求項１】
所定内容の情報が記載される情報記載領域を有する用紙の該情報記載領域を隠蔽可能な隠蔽用ラベルであって、
前記情報記載領域より大きな面積を有するとともにこれを被覆可能なラベル本体と、
このラベル本体の裏面に形成した粘着剤層と、
この粘着剤層を介して前記ラベル本体の裏面に仮着するとともに、その周囲に切込みを形成して、この切込みより外側に位置する剥離領域、およびこの切込みより内側に位置して前記情報記載領域を被覆可能な被覆領域を形成する剥離紙と、
を有することを特徴とする隠蔽用ラベル。
【請求項２】
前記ラベル本体には、前記被覆領域を除去可能な除去領域を形成するためのミシン目をその周囲に形成していることを特徴とする請求項１記載の隠蔽用ラベル。
【請求項３】
前記ミシン目は、該ミシン目より外側に位置する前記ラベル本体の貼付け領域を形成可能にこれを設けることを特徴とする請求項２記載の隠蔽用ラベル。
【請求項４】
前記ミシン目は、前記切込みと同一位置にこれを形成することを特徴とする請求項２記載の隠蔽用ラベル。
【請求項５】
前記切込みは、前記剥離紙の前記剥離領域を前記ラベル本体から剥離可能として、前記情報記載領域を取り囲むように前記粘着剤層を露出可能にこれを設けることを特徴とする請求項１記載の隠蔽用ラベル。
【請求項６】
前記切込みは、前記剥離紙の周囲にわたって連続的にこれを形成したことを特徴とする請求項１記載の隠蔽用ラベル。
【請求項７】
前記切込みは、前記剥離紙の周囲に断続的にこれを形成したことを特徴とする請求項１記載の隠蔽用ラベル。
【請求項８】
前記切込みは、前記剥離紙の四隅にこれを形成したことを特徴とする請求項１記載の隠蔽用ラベル。
【発明の詳細な説明】
【技術分野】
【０００１】
本発明は隠蔽用ラベルにかかるもので、とくに葉書その他の用紙に記載された内容を隠蔽した状態で郵送などを可能とする隠蔽用ラベルに関するものである。
【背景技術】
【０００２】
従来から物品の伝票や郵便物などに表示されている内容を隠蔽した状態のままで搬送や送付を可能とする各種の隠蔽用のラベルが知られている。
たとえば、再剥離可能な粘着剤を塗布しておき、一度開封した状態であっても再度の粘着および剥離を可能とした形態のラベルや、一度開封するとその貼付け活性が低下する擬似剥離機能を有する粘着剤を塗布しておき、再度の貼付けが困難になる形態のラベルなどがある。
【０００３】
しかしながら、いずれの形態のラベルも、特殊機能を有する粘着剤を塗布する必要があったり、あるいはそれぞれの粘着剤に合せた別の薬剤を塗布する必要があり、製造コストが高くなるという問題がある。
【０００４】
【特許文献１】特開２００５−２２４９８５号公報
【発明の開示】
【発明が解決しようとする課題】
【０００５】
本発明は以上のような諸問題にかんがみなされたもので、記載ないし表示されている内容を簡単に隠蔽可能であるとともに、その内容の確認も容易である隠蔽用ラベルを提供することを課題とする。
【０００６】
また本発明は、安価に製造可能な隠蔽用ラベルを提供することを課題とする。
【０００７】
また本発明は、再剥離機能や擬似剥離機能などをとくに保有していない一般的な低コストの粘着剤を使用して製造可能であって、任意の部分に表示されている情報の隠蔽を可能とした隠蔽用ラベルを提供することを課題とする。
【課題を解決するための手段】
【０００８】
すなわち本発明は、粘着剤層を介してラベル本体の裏面に仮着した剥離紙についてその周囲を所定幅部分ないし所定面積部分だけ除去可能としてラベル本体の粘着剤層を露出可能とすること、この露出した粘着剤層の部分において葉書などの用紙にラベル本体を貼り付けて、用紙に記載されている情報を隠蔽可能とするに着目したもので、所定内容の情報が記載される情報記載領域を有する用紙の該情報記載領域を隠蔽可能な隠蔽用ラベルであって、上記情報記載領域より大きな面積を有するとともにこれを被覆可能なラベル本体と、このラベル本体の裏面に形成した粘着剤層と、この粘着剤層を介して上記ラベル本体の裏面に仮着するとともに、その周囲に切込みを形成して、この切込みより外側に位置する剥離領域、およびこの切込みより内側に位置して上記情報記載領域を被覆可能な被覆領域を形成する剥離紙と、を有することを特徴とする隠蔽用ラベルである。
【０００９】
上記ラベル本体には、上記被覆領域を除去可能な除去領域を形成するためのミシン目をその周囲に形成していることができる。
【００１０】
上記ミシン目は、該ミシン目より外側に位置する上記ラベル本体の貼付け領域を形成可能にこれを設けることができる。
【００１１】
上記ミシン目は、上記切込みと同一位置にこれを形成することができる。
【００１２】
上記切込みは、上記剥離紙の上記剥離領域を上記ラベル本体から剥離可能として、上記情報記載領域を取り囲むように上記粘着剤層を露出可能にこれを設けることができる。
【００１３】
上記切込みは、上記剥離紙の周囲にわたって連続的にこれを形成することができる。
【００１４】
上記切込みは、上記剥離紙の周囲に断続的にこれを形成することができる。
【００１５】
上記切込みは、上記剥離紙の四隅にこれを形成することができる。
【発明の効果】
【００１６】
本発明による隠蔽用ラベルにおいては、粘着剤層を介してラベル本体の裏面に仮着した剥離紙の周囲を除去可能として粘着剤層を露出可能としたので、葉書その他の用紙における情報記載領域を被覆してこれを隠蔽可能であるとともに、剥離紙の周囲に露出した粘着剤層が情報記録領域の周囲の用紙に貼り付いて固定するので、情報記載領域の隠蔽状態を保持することができ、かつ、粘着剤層により一度貼り付けた部位はこれを剥がす必要がない。
しかも、上記粘着剤層として塗布する粘着剤は、再剥離機能や擬似剥離機能など特殊な機能や付属の薬剤を必要とせず、一般的な任意のものを採用することができるので、安価に隠蔽用ラベルを製造することができる。
【発明を実施するための最良の形態】
【００１７】
本発明は、貼付け用として一般的に市販されている粘着剤をラベル本体に塗布するとともに、剥離紙に切込みをいれて、外側の剥離領域および内側の被覆領域を形成可能としたので、ラベル本体および剥離紙により用紙の情報記載領域を隠蔽可能であるとともに、低コストで製造可能な隠蔽用ラベルを実現した。
【実施例】
【００１８】
つぎに本発明の第１の実施例による隠蔽用ラベル１を図１ないし図８にもとづき説明する。
図１は、隠蔽用ラベル１の平面図、図２は、図１のＩＩ−ＩＩ線断面図、図３は、図１のＩＩＩ−ＩＩＩ線断面図であって、隠蔽用ラベル１は、ラベル本体２と、剥離紙３と、を有する。
【００１９】
ラベル本体２は、その表面に任意の内容を表示可能とするとともに、その裏面に粘着剤層４を形成している。
ラベル本体２は、たとえばほぼ正方形ないし矩形状を呈し、粘着剤層４がないつまみ部５をその一辺に突出させ、つまみ部５の左右の起点からその周囲にわたって、ラベル本体２および粘着剤層４に貫通してミシン目６を形成し、このミシン目６を境界線として、その内側のほぼ正方形ないし矩形状の除去領域７およびその外側の枠状の貼付け領域８を形成可能としている。
除去領域７には、必要であれば、当該隠蔽用ラベル１の使用方法などをあらかじめ印刷しておくことができる。
たとえば、「裏側の剥離紙（剥離紙３）の周囲部分（剥離領域１２、後述）を剥がして、目隠しをしたい部分に貼り付けて下さい。目隠しを取るには、つまみ部分（つまみ部５）からミシン目（ミシン目６）に沿って切り取って下さい。」などであるが、別途の説明書（図示せず）を準備しておいてもよい。
【００２０】
剥離紙３は、その表面に剥離剤層９を有して、粘着剤層４を介してラベル本体２の裏面にこれを仮着している。
剥離紙３は、その周囲にわたって連続的に切込み１０を形成し、この切込み１０を境界線として、その内側のほぼ正方形ないし矩形状の被覆領域１１およびその外側の枠状の剥離領域１２を形成可能としている。
なお、この切込み１０は、上記ラベル本体２におけるミシン目６と同一位置にこれを形成してあり、ラベル本体２の除去領域７と剥離紙３の被覆領域１１とが上下の層において一致し、後述するように除去領域７が被覆領域１１を除去可能である。また、ラベル本体２の貼付け領域８と剥離紙３の剥離領域１２とが上下の層において一致している。もちろん、切込み１０とミシン目６とは厳密に一致している必要はない。
【００２１】
図４は、図３の状態から切込み１０を境として剥離領域１２を剥離紙３およびラベル本体２から取り除いた状態を示す断面図であって、この剥離領域１２の上層側の粘着剤層４を露出可能とし、剥離紙３の被覆領域１１とともにラベル本体２を用紙１３（図５）に貼り付け可能としている。
【００２２】
図５は、所定内容の情報が記載される用紙１３（たとえば葉書）の平面図、図６は、同、裏面図であって、当該隠蔽用ラベル１を利用して用紙１３の表面あるいは裏面に記載されている、あるいは記載される内容を隠蔽可能とする。なお用紙１３としては、葉書以外にも、物品の表面ないしその伝票など任意の内容を表示したものである。
すなわち用紙１３は、たとえば葉書の形態とした、たとえば会員による議決権投票用紙であって、その表面１３Ａに議決を取りまとめる委員会あての住所およびあて先１４があらかじめ印刷されており、その裏面１３Ｂに議決権を行使する会員がたとえば「賛成」あるいは「反対」の意思表示を行うとともに署名捺印する欄、すなわち情報記載領域１５が設けられている。
一使用例として隠蔽用ラベル１は、用紙１３その他必要な書類とともに、上記会員のもとに送付されるものとし、同会員が情報記載領域１５に必要な記載および捺印を行ったのち、隠蔽用ラベル１によりこの情報記載領域１５を隠蔽して、上記委員会あてに葉書（用紙１３）を郵送するものである。
【００２３】
すなわち隠蔽用ラベル１は、情報記載領域１５を有する用紙１３の情報記載領域１５を隠蔽可能であって、ラベル本体２は、情報記載領域１５より大きな面積を有するとともにこれを被覆可能である。
さらに剥離紙３は、情報記載領域１５を被覆可能な被覆領域１１を切込み１０により形成している。すなわち切込み１０は、その外側に位置する剥離紙３（剥離領域１２）をラベル本体２から剥離可能とし、情報記載領域１５を取り囲むように粘着剤層４を露出可能にこれを形成している。
また、ラベル本体２には、被覆領域１１を除去可能な除去領域７をミシン目６により形成している。
【００２４】
こうした構成の隠蔽用ラベル１を用いて、用紙１３の情報記載領域１５を隠蔽する手順について説明する。
図７は、隠蔽用ラベル１を用紙１３の情報記載領域１５に貼り付けた状態の平面図、図８は、ミシン目６の部分でラベル本体２の除去領域７とともに剥離紙３の被覆領域１１を取り除いた状態の平面図である。
まず図４に示すように、切込み１０の部分から剥離紙３の剥離領域１２を剥離し、中央部の被覆領域１１を残したままで、粘着剤層４を露出させた状態で、図７に示すように、用紙１３の情報記載領域１５を隠蔽するように隠蔽用ラベル１を貼り付ける。
この貼付け状態で、情報記載領域１５は外部から見ることはできず、ラベル本体２に加えて剥離紙３の被覆領域１１も積層した状態での被覆を行うので、光線が透過しにくく隠蔽機能は十分である。
【００２５】
隠蔽用ラベル１を貼り付けた状態で郵送されてきた用紙１３について、前記委員会においては、ラベル本体２のつまみ部５を摘んでミシン目６に沿ってこれを切り開くようにラベル本体２および貼り付いている剥離紙３（被覆領域１１）を剥がせば、用紙１３の情報記載領域１５を視認することができる。
【００２６】
かくして、ラベル本体２から剥離紙３の剥離領域１１を剥がして貼り付けるだけの簡単な操作で情報記載領域１５を隠蔽可能である。
さらに、ラベル本体２の粘着剤層４自体は、一般的な粘着力を有するものであればよく、特別な機能を有する粘着剤である必要がないため、また、付属の塗布薬剤も不要であり、きわめて安価に隠蔽用ラベル１を製造することができる。
【００２７】
本発明における剥離紙３への切込み１０およびミシン目６の形態、ないし粘着剤層４の露出形態は任意である。
たとえば図９は、本発明の第２の実施例による隠蔽用ラベル２０の粘着剤層４の露出パターンを示す剥離紙３側から見た裏面図であって、隠蔽用ラベル２０においては、剥離紙３への切込み２１を周囲への連続状態のみならず、剥離紙３の中央部への中央突出切込み２２を設けて粘着剤層４の中央粘着剤層２３を形成可能としている。なお、ラベル本体２へのミシン目についても、上記切込み２１、２３と同一パターンで同様にこれを形成する。以下の実施例においても同様とする。
【００２８】
こうした構成の隠蔽用ラベル２０によっても、既述の隠蔽用ラベル１（第１の実施例、図１）と同様に、用紙１３の情報記載領域１５を隠蔽可能であるとともに、被覆領域１１の中央部に粘着剤層４の中央粘着剤層２３が露出形成されるので、隠蔽用ラベル２０の用紙１３への貼付け能力を向上させることができる。
【００２９】
図１０は、本発明の第３の実施例による隠蔽用ラベル３０の粘着剤層４の露出パターンを示す剥離紙３側から見た裏面図であって、隠蔽用ラベル３０においては、その切込み３１は、剥離紙３の周囲に断続的に複数箇所においてこれを形成している。
【００３０】
こうした構成の隠蔽用ラベル３０においても、隠蔽用ラベル１、２０と同様に、用紙１３の情報記載領域１５を隠蔽可能であるとともに、粘着剤層４の残存状態（露出パターン）が複雑であるので、つまみ部５を摘んでラベル本体２（除去領域７）および剥離紙３の被覆領域１１を取り除く操作が多少面倒であり、第三者による情報記載領域１５の不正のぞき行為を防止可能である。
【００３１】
図１１は、本発明の第４の実施例による隠蔽用ラベル４０の粘着剤層４の露出パターンを示す剥離紙３側から見た裏面図であって、隠蔽用ラベル４０においては、その切込み４１は、剥離紙３の少なくとも四隅にこれを形成している。
【００３２】
こうした構成の隠蔽用ラベル４０においても、隠蔽用ラベル１、２０、３０と同様に、用紙１３の情報記載領域１５を隠蔽可能であるとともに、粘着剤層４がラベル本体２の四隅に形成されているので、用紙１３への貼付け操作が簡単である。
【００３３】
以上本発明による隠蔽用ラベルを葉書などの用紙１３に貼り付ける例を取って説明したが、隠蔽用ラベルを貼り付ける対象は任意の用紙や書類ないし物品であり、これらの用紙ないし物品に応じて隠蔽用ラベルの形状や切込みおよびミシン目の形態を任意に設計可能である。
【図面の簡単な説明】
【００３４】
【図１】本発明の第１の実施例による隠蔽用ラベル１の平面図である。
【図２】同、図１のＩＩ−ＩＩ線断面図である。
【図３】同、図１のＩＩＩ−ＩＩＩ線断面図である。
【図４】同、図３の状態から切込み１０を境として剥離領域１２を剥離紙３およびラベル本体２から取り除いた状態を示す断面図である。
【図５】同、所定内容の情報が記載される用紙１３（たとえば葉書）の平面図である。
【図６】同、裏面図である。
【図７】同、隠蔽用ラベル１を用紙１３の情報記載領域１５に貼り付けた状態の平面図である。
【図８】同、ミシン目６の部分でラベル本体２の除去領域７とともに剥離紙３の被覆領域１１を取り除いた状態の平面図である。
【図９】本発明の第２の実施例による隠蔽用ラベル２０の粘着剤層４の露出パターンを示す剥離紙３側から見た裏面図である。
【図１０】本発明の第３の実施例による隠蔽用ラベル３０の粘着剤層４の露出パターンを示す剥離紙３側から見た裏面図である。
【図１１】本発明の第４の実施例による隠蔽用ラベル４０の粘着剤層４の露出パターンを示す剥離紙３側から見た裏面図である。
【符号の説明】
【００３５】
１  隠蔽用ラベル（第１の実施例、図１）
２  ラベル本体
３  剥離紙
４  粘着剤層
５  つまみ部
６  ラベル本体２に形成したミシン目
７  ラベル本体２の除去領域
８  ラベル本体２の貼付け領域
９  剥離剤層
１０  剥離紙３に形成した切込み
１１  剥離紙３の被覆領域
１２  剥離紙３の剥離領域
１３  用紙（たとえば葉書、図５、図６）
１３Ａ  用紙１３の表面（図５）
１３Ｂ  用紙１３の裏面（図６、図７、図８）
１４  用紙１３の表面１３Ａ側の住所およびあて先（図５）
１５  用紙１３の裏面１３Ｂ側の情報記載領域（図６）
２０  隠蔽用ラベル（第２の実施例、図９）
２１  剥離紙３に形成した切込み
２２  剥離紙３に形成した中央突出切込み
２３  粘着剤層４の中央粘着剤層
３０  隠蔽用ラベル（第３の実施例、図１０）
３１  剥離紙３に形成した切込み
４０  隠蔽用ラベル（第４の実施例、図１１）
４１  剥離紙３に形成した切込み
【図１】
2007304359.tif 000003
【図２】
2007304359.tif 000004
【図３】
2007304359.tif 000005
【図４】
2007304359.tif 000006
【図５】
2007304359.tif 000007
【図６】
2007304359.tif 000008
【図７】
2007304359.tif 000009
【図８】
2007304359.tif 000010
【図９】
2007304359.tif 000011
【図１０】
2007304359.tif 000012
【図１１】
2007304359.tif 000013